(57)【特許請求の範囲】
【請求項１】
複数のリングノード及び前記リングノード間を接続する通信路で構築された中継ネットワークに、前記リングノードと前記通信路で論理リングを形成し、前記論理リングで通信を可能とする論理通信路を設定するリングプロトコルを適用したリングネットワークの変更方法であって、
前記論理リングを変更する際に、変更前後において、任意に設定された一部の経路を共通とし、前記一部の経路を共通とした区間において前記経路上の前記論理通信路を維持した状態で前記論理リングを変更し、
変更後の前記論理リングに全ての前記論理通信路を設定すること
を特徴とするリングネットワークの変更方法。
【請求項２】
複数のリングノード及び前記リングノード間を接続する通信路で構築された中継ネットワークに、前記リングノードと前記通信路で論理リングを形成し、前記論理リングで通信を可能とする論理通信路を設定するリングプロトコルを適用したリングネットワークであって、
前記論理リングを変更する際に、変更前後において、任意に設定された一部の経路を共通とし、前記一部の経路を共通とした区間において前記経路上の前記論理通信路を維持した状態で前記論理リングを変更し、
変更後の前記論理リングに全ての前記論理通信路を設定する制御装置を備えること
を特徴とするリングネットワーク。
【請求項３】
中継ネットワークに論理リングを形成し、前記論理リングで通信を可能とする論理通信路を設定するリングプロトコルを適用したリングネットワークを構築するリングノードであって、
前記論理リングを変更する際に、変更前後において、任意に設定された一部の経路を共通とし、前記一部の経路を共通とした区間において前記経路上の前記論理通信路を維持した状態で前記論理リングを変更し、
変更後の前記論理リングに全ての前記論理通信路を設定する論理リング変更機能を有すること
を特徴とするリングノード。
【請求項４】
前記論理リング変更機能は、
前記リングネットワークを構成するための複数のリングポートと、
前記リングポート上に複数の前記論理リングを形成する論理リング設定管理部と、
前記リングポート上に複数の前記論理通信路を設定する論理通信路設定管理部と、
前記論理リングと前記論理通信路の対応付けを行い、前記論理リングの制御状態によって、前記リングポート上の前記論理通信路を経由する通信を導通および停止させるリング−通信路対応設定部と、
前記論理リングと前記論理通信路の対応付けを変更するリング−通信路対応設定変更部と、
を含むことを特徴とする請求項３に記載のリングノード。
【請求項５】
前記論理リング変更機能は、
前記リングネットワークを構成するための複数のリングポートと、
前記リングポート上に複数の前記論理リングを形成する論理リング設定管理部と、
前記論理リング上に複数の前記論理通信路を設定する論理通信路設定管理部と、
前記論理リングが設定された前記リングポートを他の前記リングポートへ変更するリングポート−論理リング対応設定変更部と、
を含むことを特徴とする請求項３のリングノード。
【発明の詳細な説明】
【技術分野】
【０００１】
本発明は、ネットワーク構築後に通信を停止することなくリングを増設もしくはリングの形状を変更するリングネットワーク変更方法、その変更を可能とするリングネットワーク及びそれが備えるリングノードに関する。
【背景技術】
【０００２】
現在、広域イーサネット（登録商標）サービス等に用いられる中継ネットワークは、リングプロトコルを用いることにより、冗長経路を確保しつつ、経済的に構築することが可能となっている（例えば、非特許文献１を参照）。リングプロトコルを用いた中継ネットワーク内では、各リングをノード冗長接続する事により中継ネットワーク内全体でノード故障耐性を備えた冗長経路を構築可能であり、中継ネットワーク内のいずれのノードが故障した場合においても経路切替が行われ通信の正常性が確保される。このとき、加入者の増加やサービスの追加などによりネットワーク上を流れるトラフィック量が増大したり、冗長経路の変更や新たな伝送路の敷設などにより通信経路を変更する場合、一般的にリングプロトコルが実装された転送装置では、一度リング設定を削除し、新たな通信経路でリング設定を追加する必要があるが、設定の削除から追加までの間は通信が停止することとなり、提供するサービスに多大な影響を与えることとなる。
【０００３】
なお、本明細書では、上記「リング設定」を「論理通信路」、上記「通信経路」を「論理リング」と記載する。例えば、論理通信路はイーサネット（登録商標）におけるＶＬＡＮに相当し、論理リングはリングプロトコルにおけるリングインスタンスに相当する。
【０００４】
図１は、従来のネットワーク構成の例である。リングノード１０１乃至１０６がリングネットワークを構成しており、リングノード１０１とリングノード１０２は、リングポート１０１２と１０２１及び通信路２１を介して接続され、リングノード１０２とリングノード１０３は、リングポート１０２２と１０３１及び通信路２１を介して接続され、リングノード１０３とリングノード１０４は、リングポート１０３２と１０４１及び通信路２１を介して接続され、リングノード１０４とリングノード１０５は、リングポート１０４２と１０５１及び通信路２１を介して接続され、リングノード１０５とリングノード１０６は、リングポート１０５２と１０６１及び通信路２１を介して接続され、リングノード１０６とリングノード１０１は、リングポート１０６２と１０１１及び通信路２１を介して接続される構成である。このとき、図２にあるように、リングノード１０１乃至１０６及びリングポート１０１１乃至１０６２には論理リング１が設定されており、論理通信路１１−１は論理リング１によって制御されるように設定されている。このとき、論理リング１上を流通する通信量が各リングポート１０１１乃至１０６２もしくは通信路２１で送受信可能な通信量を超過するような状況では、リング上の全リングノードでポートを増設しリングを二重とする、リングを分割することにより各通信路や各ポート上を流通する通信量を削減する等の方法により、ネットワーク上を送受信可能な通信量を増加させることが可能である。一例として、リングを分割する方法について図３及び４に示す。
【０００５】
図３はリングを分割した従来のネットワーク構成の例である。図１のネットワークに対し、リングノード１０１にリングポート１１１３を増設し、リングノード１０４にリングポート１１４３を増設し、リングポート１１１３と１１４３を通信路２２を用いて接続する構成である。このとき、新たに、リングノード１０１、１０４、１０５、１０６及びリングポート１０１１、１１１３、１１４３、１０５１、１０５２、１０６１、１０６２に論理リング２を設定する。その後、論理通信路１１−１を論理リング１より削除し、論理通信路１１−２を論理リング２に設定することにより、リングノード１０２及び１０３を経由しない、新しい論理リング２での通信を行うことが可能となる。これにより、リングノード１０２や１０３では新たな通信容量を確保することができるため、ネットワーク全体として通信容量を拡大することができる。
【先行技術文献】
【非特許文献】
【０００６】
【非特許文献１】Ｒｅｃｏｍｍｅｎｄａｔｉｏｎ  ＩＴＵ−Ｔ  Ｇ．８０３２／Ｙ．１３４４，“Ｅｔｈｅｒｎｅｔ（登録商標）  Ｒｉｎｇ  Ｐｒｏｔｅｃｔｉｏｎ  Ｓｗｉｔｃｈｉｎｇ  （０３／２０１０）”
【発明の概要】
【発明が解決しようとする課題】
【０００７】
しかしながら、『論理通信路１１−１を論理リング１より削除』してから、『論理通信路１１−２を論理リング２に設定する』までの間、論理通信路が存在しない時間ができるため、通信断を生じることとなり、結果として連続的にサービスを提供することが困難となる。
【０００８】
そこで、上記課題を解決すべく、本発明は、リングプロトコルを用いて構成されたような中継ネットワークにおいて、通信断を生じることなくリング形状を変更することができるリングネットワーク変更方法、リングネットワーク、及びリングノードを提供することを目的とする。
【課題を解決するための手段】
【０００９】
上記目的を達成するために、本発明は、通信断を回避させたい経路上の論理通信路及び論理リングは変更せず、他の経路において論理通信路及び論理リングを変更することとした。
【００１０】
具体的には、本発明に係るリングネットワーク変更方法は、複数のリングノード及び前記リングノード間を接続する通信路で構築された中継ネットワークに、前記リングノードと前記通信路で論理リングを形成し、前記論理リングで通信を可能とする論理通信路を設定するリングプロトコルを適用したリングネットワークの変更方法であって、
前記論理リングを変更する際に、変更前後において通信断を回避すべき経路を共通とし、前記経路上の前記論理通信路を維持した状態で前記論理リングを変更し、
変更後の前記論理リングに全ての前記論理通信路を設定することを特徴とする。
【００１１】
具体的には、本発明に係るリングネットワークは、複数のリングノード及び前記リングノード間を接続する通信路で構築された中継ネットワークに、前記リングノードと前記通信路で論理リングを形成し、前記論理リングで通信を可能とする論理通信路を設定するリングプロトコルを適用したリングネットワークであって、
前記論理リングを変更する際に、変更前後において通信断を回避すべき経路を共通とし、前記経路上の前記論理通信路を維持した状態で前記論理リングを変更し、
変更後の前記論理リングに全ての前記論理通信路を設定する制御装置を備えることを特徴とする。
【００１２】
具体的には、本発明に係るリングノードは、中継ネットワークに論理リングを形成し、前記論理リングで通信を可能とする論理通信路を設定するリングプロトコルを適用したリングネットワークを構築するリングノードであって、
前記論理リングを変更する際に、変更前後において通信断を回避すべき経路を共通とし、前記経路上の前記論理通信路を維持した状態で前記論理リングを変更し、
変更後の前記論理リングに全ての前記論理通信路を設定する論理リング変更機能を有することを特徴とする。
【００１３】
通信断を回避させたい経路上の論理通信路は切断されないため、連続して通信を行いながら論理リングの形状を変更してトラヒックの容量を変更することが可能である。従って、本発明は、リングプロトコルを用いて構成されたような中継ネットワークにおいて、通信断を生じることなくリング形状を変更することができるリングネットワーク変更方法、リングネットワーク、及びリングノードを提供することができる。
【００１４】
本発明に係るリングノードの前記論理リング変更機能は、
前記リングネットワークを構成するための複数のリングポートと、
前記リングポート上に複数の前記論理リングを形成する論理リング設定管理部と、
前記リングポート上に複数の前記論理通信路を設定する論理通信路設定管理部と、
前記論理リングと前記論理通信路の対応付けを行い、前記論理リングの制御状態によって、前記リングポート上の前記論理通信路を経由する通信を導通および停止させるリング−通信路対応設定部と、
前記論理リングと前記論理通信路の対応付けを変更するリング−通信路対応設定変更部と、を含むことができる。
【００１５】
本発明に係るリングノードの前記論理リング変更機能は、
前記リングネットワークを構成するための複数のリングポートと、
前記リングポート上に複数の前記論理リングを形成する論理リング設定管理部と、
前記論理リング上に複数の前記論理通信路を設定する論理通信路設定管理部と、
前記論理リングが設定された前記リングポートを他の前記リングポートへ変更するリングポート−論理リング対応設定変更部と、
を含むことができる。
【００１６】
リングノードにおいて論理リングと通信路（ポート）の対応関係を変更する機能を設けることで、通信断を回避させたい経路上の論理通信路を維持しつつ論理リングの変更を可能とした。
【発明の効果】
【００１７】
本発明は、リングプロトコルを用いて構成されたような中継ネットワークにおいて、通信断を生じることなくリング形状を変更することができるリングネットワーク変更方法、リングネットワーク、及びリングノードを提供することことができる。
【図面の簡単な説明】
【００１８】
【図１】従来のリングネットワークを説明する図である。
【図２】従来のリングネットワークを説明する図である。
【図３】リング形状の変更を説明する図である。
【図４】リング形状の変更を説明する図である。
【図５】本発明に係るリングノードを説明する図である。
【図６】本発明に係るリングノードを説明する図である。
【図７】本発明に係るリングネットワークを説明する図である。
【図８】リング形状の変更を説明する図である。
【図９】リング形状の変更を説明する図である。
【図１０】リング形状の変更を説明する図である。
【図１１】リング形状の変更を説明する図である。
【図１２】リング形状の変更を説明する図である。
【図１３】リング形状の変更を説明する図である。
【図１４】リング形状の変更を説明する図である。
【図１５】リング形状の変更を説明する図である。
【発明を実施するための形態】
【００１９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２０】
（リングノード実施形態）
図５及び図６は、本実施形態のリングノード（３０１、４０１）を説明する図である。リングノード（３０１、４０１）は、中継ネットワークに論理リングを形成し、前記論理リングで通信を可能とする論理通信路を設定するリングプロトコルを適用したリングネットワークを構築するリングノードであって、前記論理リングを変更する際に、変更前後において通信断を回避すべき経路を共通とし、前記経路上の前記論理通信路を維持した状態で前記論理リングを変更し、変更後の前記論理リングに全ての前記論理通信路を設定する論理リング変更機能を有することを特徴とする。
【００２１】
（リングノード第一の形態）
図５のリングノード３０１は、前記論理リング変更機能のため、前記リングネットワークを構成するための複数のリングポート（３０２−１〜３０２−ｎ）と、前記リングポート上に複数の前記論理リングを形成する論理リング設定管理部３０３と、前記リングポート上に複数の前記論理通信路を設定する論理通信路設定管理部（ポート）３０４と、前記論理リングと前記論理通信路の対応付けを行い、前記論理リングの制御状態によって、前記リングポート上の前記論理通信路を経由する通信を導通及び停止させるリング−通信路対応設定部３０５と、前記論理リングと前記論理通信路の対応付けを変更するリング−通信路対応設定変更部３０６と、を備える。
【００２２】
論理リング設定管理部３０３は、複数のリングポート３０２のうち、一つもしくは二つに対し、論理リングを設定し、論理リングの状態に応じて切替及び復旧動作を実施し、リングポート３０２上を導通する通信の導通もしくは停止状態を制御する。ここで、「リングの状態」とは、リングプロトコルによる論理閉塞（＝ブロッキング）状態のことを指すものとする。
【００２３】
このとき、論理リング設定管理部３０３は、例えばリングポート３０２−１と３０２−２に対して論理リングを構成し、３０２−１と３０２−３に対して論理リングを構成し、３０２−２と３０２−３に対して論理リングを構成し、３０２−ｎに対して論理リングを構成するといったように、リングポートを自由に組合せた複数の論理リングを構成することができる。
【００２４】
論理通信路設定管理部（ポート）３０４は、複数のリングポート３０２のうち、一つ以上に対し、一つもしくは複数の論理通信路を設定し、論理通信路を識別する識別子等が付与された通信を導通可能とする制御を行う。
【００２５】
リング−通信路対応設定部３０５は、論理リング及び論理通信路が設定されたリングポート３０２において、論理通信路上の通信を、論理リングの状態に応じて導通もしくは停止とすることを可能とするため、論理リングと論理通信路の対応付けを行う。例えば、リングポート３０２−１と３０２−２に対して設定された論理リングと、リングポート３０２−１と３０２−２に設定された論理通信路を対応づけた場合、当該論理リングの状態に応じて、当該論理通信路上の通信を導通もしくは停止することができるようになる。換言すれば、リングの初期状態におけるブロッキング、故障発生によりリング切り替えが発生した際に自動的に設定されるブロッキング、運用者による手動切り替えを行った際に設置されるブロッキングなどにより、論理通信路の通信を停止することができ、それ以外のブロッキングが設置されていない場合は論理通信路の通信を導通することができる。
【００２６】
このとき、当該論理通信路はリングポート３０２−１及び３０２−２以外に設定されていてもよく、その場合は、リングポート３０２−３〜３０２−ｎに設定されている別の論理リングと対応づけることにより、論理リングの状態と連携して通信の導通もしくは停止を行うことができる。また、論理通信路はかならずしも論理リングと対応づける必要は無く、例えばリングポート３０２−１に論理通信路を設定するが、当該論理通信路をリングポート３０２−１に設定された全ての論理リングと対応づけない場合は、リングの状態に無関係に通信を導通させるということもできる。
【００２７】
リング−通信路対応設定変更部３０６は、論理リング及び論理通信路が設定されたリングポート３０２において、リング−通信路対応設定部３０５により設定された論理リングと論理通信路との対応付けを変更する。
【００２８】
これにより、論理リングと論理通信路の対応付けを任意に変更することができるため、リングネットワーク上に構成される形状の異なる論理リング間で論理通信路を移動することができ、自由にリングの増設や分割が可能となる。
【００２９】
（リングノード第二の形態）
図６のリングノード４０１は、前記論理リング変更機能のため、前記リングネットワークを構成するための複数のリングポート（４０２−１〜４０２−ｎ）と、前記リングポート上に複数の前記論理リングを形成する論理リング設定管理部４０３と、前記論理リング上に複数の前記論理通信路を設定する論理通信路設定管理部（リング）４０４と、前記論理リングが設定された前記リングポートを他の前記リングポートへ変更するリングポート−論理リング対応設定変更部４０５と、を備える。
【００３０】
論理リング設定管理部４０３は、複数のリングポート４０２のうち、一つもしくは二つに対し、論理リングを設定し、論理リングの状態に応じて切替及び復旧動作を実施し、リングポート４０２上を導通する通信の導通もしくは停止状態を制御する。このとき、論理リング設定管理部４０３は、例えばリングポート４０２−１と４０２−２に対して論理リングを構成し、４０２−１と４０２−３に対して論理リングを構成し、４０２−２と４０２−３に対して論理リングを構成し、４０２−ｎに対して論理リングを構成すると言ったように、リングポートを自由に組合せた複数の論理リングを構成することができる。
【００３１】
論理通信路設定管理部（リング）４０４は、論理リング設定管理部４０３により設定された論理リングに、論理通信路を対応させる。このとき、論理通信路が論理リングと対応させられることにより、論理リングが設定されたリングポートで論理通信路を識別する識別子等が付与された通信を行うことが可能となり、かつ当該の通信は導通可能なもしくは停止状態を論理リングの状態に応じて制御されることとなる。
【００３２】
リングポート−論理リング対応設定変更部４０６は、論理リングが設定されたリングポートの変更を行う。
【００３３】
これにより、論理リングが設定された論理リングとリングポートの対応付けを任意に変更することができるため、リングネットワーク上で論理リングの形状を変更することができ、自由にリングの増設や分割が可能となる。
【００３４】
（リングネットワーク実施形態）
図７は、本実施形態のリングネットワークを説明する図である。本実施形態のリングネットワークは、複数のリングノード及び前記リングノード間を接続する通信路で構築された中継ネットワークに、前記リングノードと前記通信路で論理リングを形成し、前記論理リングで通信を可能とする論理通信路を設定するリングプロトコルを適用したリングネットワークであって、前記論理リングを変更する際に、変更前後において通信断を回避すべき経路を共通とし、前記経路上の前記論理通信路を維持した状態で前記論理リングを変更し、変更後の前記論理リングに全ての前記論理通信路を設定する制御装置を備えることを特徴とする。なお、図７〜図１５において前記制御装置を図示していない。
【００３５】
論理リング変更は、ネットワークの運用者が適切なタイミングを判断して制御装置に変更命令を入力することで実行される。適切なタイミングとは、例えば、トラフィックが当初設計より増大した場合、ネットワーク構築エリアの拡大（たとえば、サービス開始段階では提供するエリアを都市部とし、都市部を接続するリングを構築していたが、順次エリアを拡大し都市部を接続するリングを分割して複数の小さなリングに変更するようなケース）、光ファイバ設置経路などの伝送経路の変更によって形状を変更する場合などがある。変更命令を入力された制御部は、各リングノードに対し、変更前後において通信断を回避すべき経路を共通とし、前記経路上の前記論理通信路を維持した状態で前記論理リングを変更し、変更後の前記論理リングに全ての前記論理通信路を設定するように指示する。
【００３６】
図７に示すリングネットワークは、リングポート５０１１、５０１２、５１１３を持つリングノード５０１と、リングポート５０２１、５０２２、５１２３を持つリングノード５０２と、リングポート５０３１、５０３２を持つリングノード５０３と、リングポート５０４１、５０４２、５１４３を持つリングノード５０４と、リングポート５０５１、５０５２、５１５３を持つリングノード５０５と、リングポート５０６１、５０６２を持つリングノード５０６と、複数の通信路２１と、迂回用の通信路２２及び２３によって構成される。
【００３７】
このとき、リングノード５０１とリングノード５０２は、リングポート５０１２と５０２１及び通信路２１を介して接続される。リングノード５０２とリングノード５０３は、リングポート５０２２と５０３１及び通信路２１を介して接続される。リングノード５０３とリングノード５０４は、リングポート５０３２と５０４１及び通信路２１を介して接続される。リングノード５０４とリングノード５０５は、リングポート５０４２と５０５１及び通信路２１を介して接続される。リングノード５０５とリングノード５０６は、リングポート５０５２と５０６１及び通信路２１を介して接続される。リングノード５０６とリングノード５０１は、リングポート５０６２と５０１１及び通信路２１を介して接続される。また、迂回用の通信経路として、リングノード５０１とリングノード５０４は、リングポート５１１３と５１４３及び通信路２２を介して接続される。リングノード５０２とリングノード５０５は、リングポート５１２３と５１５３及び通信路２３を介して接続される。このとき、リングノード５０１〜５０６は、図５もしくは図６に示すリングノード３０１もしくは４０１もしくはその両方の機能を備える。
【００３８】
（リングネットワーク変更例１）
図８及び図９は、リングネットワーク変更の第一の実施例を示す図である。初期状態では、論理リング及び論理通信路は図８のように設定されているとする。すなわち、図７におけるリングノード５０１〜５０６に対し、全てのリングノードを通過するように論理リング６１を構成し、論理リング６１上に論理通信路６７−１が設定されている。
【００３９】
たとえば、リングノード５０１〜５０６が図５に示すリングノード３０１の機能を持つ場合、論理リング設定管理部３０３によって論理リング６１をリングポート５０１１〜５０６２上に構成し、論理通信路設定管理部（ポート）３０４により、論理通信路６７−１をリングポート５０１１〜５０６２上に構成し、リング−通信路対応設定部３０５により、論理通信路６７−１は論理リング６１に対応づけることにより、論理リング６１の状態によって各リングポートにおける論理通信路６７−１の導通もしくは停止状態を制御するよう設定することができる。
【００４０】
また、リングノード５０１〜５０６が図６に示すリングノード４０１の機能を持つ場合、論理リング設定管理部４０３によって論理リング６１をリングポート５０１１〜５０６２上に構成し、論理通信路設定管理部（リング）４０４により、論理通信路６７−１を論理リング６１上に構成することにより、論理リング６１の状態によって各リングポートにおける論理通信路６７−１の導通もしくは停止状態を制御するよう設定することができる。
【００４１】
次に、図８のような論理リング及び論理通信路を、ネットワーク上のトラフィック増などにより図９のような論理リング及び論理通信路に変更することを考える。
【００４２】
まず、図７におけるリングノード５０１、５０４、５０５、５０６を通過するように、図９にあるように論理リング６２を構成する。その後、図８における論理通信路６７−１を、図９における論理通信路６７−２となるよう変更することにより、論理通信路上を流れるトラフィックを停止する必要なく、論理リングの変更を実施する事ができる。
【００４３】
具体的には、リングノード５０１、５０４〜５０６が、図５に示すリングノード３０１の機能を持つ場合、リングノード５０１、５０４〜５０６において、論理リング設定管理部３０３により、リングポート５０１１、５１１３、５１４３，５０４２、５０５１、５０５２、５０６１、５０６２上に論理リング６２を構成し、リングノード５０１において、論理通信路設定管理部（ポート）３０４により、論理通信路６７−１が設定されているリングポートを５０１１と５０１２から５０１２と５１１３へ変更し、リングノード５０４において、論理通信路設定管理部（ポート）３０４により、論理通信路６７−１が設定されているリングポートを５０４１と５０４２から５０４１と５１４３へ変更し、リングノード５０１、５０４〜５０６において、リング−通信路対応設定変更部３０６により、論理通信路６７−１の対応する論理リングを６１から６２へと変更し、最終的に図８における６７−２の形状となるように設定することで、通信断なく論理リングと論理通信路の対応関係を変更できる。
【００４４】
また、図７におけるリングノード５０１、５０４が、図６に示すリングノード４０１の機能を持つ場合、リングポート−論理リング対応設定変更部４０５により、論理リング６１の対応するリングポートを、リングノード５０１においては５０１１と５０１２から５０１１と５１１３に、リングノード５０４においては５０４１と５０４２から５０４１と５１４３になるように変更し、論理リング６２の形状となるよう設定することで、通信断なく論理リングとリングポートの対応関係を変更することもできる。
【００４５】
これにより、通信断無く論理リングの形状を変更し、リングネットワーク上を送受信可能な通信量を増加させることが可能である。
【００４６】
（リングネットワーク変更例２）
図１０及び図１１は、リングネットワーク変更の第二の実施例を示す図である。初期状態では、論理リング及び論理通信路は図１０のように設定されているとする。すなわち、図７におけるリングノード５０１〜５０６に対し、全てのリングノードを通過するように論理リング７１を構成し、論理リング７１上に論理通信路７７−１及び７８−１が設定されている。
【００４７】
たとえば、リングノード５０１〜５０６が図５に示すリングノード３０１の機能を持つ場合、論理リング設定管理部３０３によって論理リング７１をリングポート５０１１〜５０６２上に構成し、論理通信路設定管理部（ポート）３０４により、論理通信路７７−１及び７８−１をリングポート５０１１〜５０６２上に構成し、リング−通信路対応設定部３０５により、論理通信路７７−１及び７８−１は論理リング６１に対応づけることにより、論理リング６１の状態によって各リングポートにおける論理通信路７７−１及び７８−１の導通もしくは停止状態を制御するよう設定することができる。
【００４８】
また、リングノード５０１〜５０６が図６に示すリングノード４０１の機能を持つ場合、論理リング設定管理部４０３によって論理リング７１をリングポート５０１１〜５０６２上に構成し、論理通信路設定管理部（リング）４０４により、論理通信路７７−１及び７８−１を論理リング７１上に構成することにより、論理リング７１の状態によって各リングポートにおける論理通信路７７−１及び７８−１の導通もしくは停止状態を制御するよう設定することができる。
【００４９】
次に、図１０のような論理リング及び論理通信路を、ネットワーク上のトラフィック増などにより図１１のような論理リング及び論理通信路に変更することを考える。
【００５０】
このとき、論理通信路７７−１の経路を７７−２のように変更する方法は、リングネットワーク変更の第一の実施例と同様の方法で行うことができるため省略する。次に、図７におけるリングノード５０２、５０３、５０４、５０５を通過するように論理リング７３を構成する。その後、図１０における論理通信路７８−１を、図１１における論理通信路７８−２となるよう変更することにより、論理通信路上を流れるトラフィックを停止する必要なく、論理リングの変更を実施する事ができる。
【００５１】
具体的には、たとえば、リングノード５０２〜５０５が、図５に示すリングノード３０１の機能を持つ場合、リングノード５０２〜５０５において、論理リング設定管理部３０３により、リングポート５１２３、５０２２、５０３１、５０３２、５０４１、５０４２、５０５１、５１５３上に論理リング７３を構成し、リングノード５０２において、論理通信路設定管理部（ポート）３０４により、論理通信路７８−１が設定されているリングポートを５０２１と５０２２から５０２２と５１２３へ変更し、リングノード５０５において、論理通信路設定管理部（ポート）３０４により、論理通信路７８−１が設定されているリングポートを５０５１と５０５２から５０５１と５１５３へ変更し、リングノード５０２〜５０５において、リング−通信路対応設定変更部３０６により、論理通信路７８−１の対応する論理リングを７３から８４へと変更し、最終的に図１１における７８−２の形状となるように設定することで、通信断なく論理リングと論理通信路の対応関係を変更できる。
【００５２】
これにより、通信断無く論理リングの形状を変更し、リングネットワーク上を送受信可能な通信量を増加させることが可能である。
【００５３】
（リングネットワーク変更例３）
図１２及び図１３は、リングネットワーク変更の第三の実施例を示す図である。初期状態では、論理リング及び論理通信路は図１２のように設定されているとする。すなわち、図７におけるリングノード５０１〜５０６に対し、全てのリングノードを通過するように論理リング８１及び８２を構成し、論理リング８１上に論理通信路８７−１が設定され、論理リング８２上に論理通信路８８−１が設定されている。
【００５４】
たとえば、リングノード５０１〜５０６が図５に示すリングノード３０１の機能を持つ場合、論理リング設定管理部３０３によって論理リング８１及び８２をリングポート５０１１〜５０６２上に構成し、論理通信路設定管理部（ポート）３０４により、論理通信路８７−１及び８８−１をリングポート５０１１〜５０６２上に構成し、リング−通信路対応設定部３０５により、論理通信路８７−１を論理リング８１に対応付け、論理通信路８８−１を論理リング８２に対応づけることにより、論理リング８１の状態によって各リングポートにおける論理通信路８７−１の導通もしくは停止状態を制御するよう設定することができ、論理リング８２の状態によって各リングポートにおける論理通信路８８−１の導通もしくは停止状態を制御するよう設定することができる。
【００５５】
また、リングノード５０１〜５０６が図６に示すリングノード４０１の機能を持つ場合、論理リング設定管理部４０３によって論理リング８１及び８２をリングポート５０１１〜５０６２上に構成し、論理通信路設定管理部（リング）４０４により、論理通信路８７−１を論理リング８１上に構成し、論理通信路８８−１を論理リング８２することにより、論理リング８１の状態によって各リングポートにおける論理通信路８７−１の導通もしくは停止状態を制御するよう設定することができ、論理リング８２の状態によって各リングポートにおける論理通信路８８−１の導通もしくは停止状態を制御するよう設定することができる。
【００５６】
次に、図１２のような論理リング及び論理通信路を、ネットワーク上のトラフィック増などにより図１３のような論理リング及び論理通信路に変更すること考える。
【００５７】
このとき、論理通信路８７−１の経路を８７−２に変更する方法は、リングネットワーク変更の第一の実施例と同様の方法で行うことができるため省略する。次に、図７におけるリングノード５０２〜５０５について、図１２における論理リング８２が、図１３における論理リング８４となるように構成を変更することで、図１２における論理通信路８８−１が図１３における論理通信路８８−２の構成に変更され、結果として論理通信路上を流れるトラフィックを停止する必要なく、論理リングの変更を実施する事ができる。
【００５８】
具体的には、たとえば、図７におけるリングノード５０２、５０５が、図６に示すリングノード４０１の機能を持つ場合、リングポート−論理リング対応設定変更部４０５により、論理リング８２の対応するリングポートを、リングノード５０２においては５０２１と５０２２から５１２３と５０２２に、リングノード５０５においては５０５１と５０５２から５０５１と５１５３になるように変更し、論理リング８４の形状となるよう設定することで、通信断なく論理リングとリングポートの対応関係を変更することができる。なお、論理通信路８８−１の経路を８８−２に変更することは、第二の実施例と同様の方法で行うことも可能である。
【００５９】
これにより、通信断無く論理リングの形状を変更し、リングネットワーク上を送受信可能な通信量を増加させることが可能である。
【００６０】
（リングネットワーク変更例４）
図１４及び図１５は、リングネットワーク変更の第四の実施例を示す図である。初期状態では、論理リング及び論理通信路は図１４のように設定されているとする。すなわち、図７におけるリングノード５０１〜５０６に対し、全てのリングノードを通過するように論理リング９１を構成し、論理リング９１上に論理通信路９７−１が設定されている。
【００６１】
たとえば、リングノード５０１〜５０６が図５に示すリングノード３０１の機能を持つ場合、論理リング設定管理部３０３によって論理リング９１をリングポート５０１１〜５０６２上に構成し、論理通信路設定管理部（ポート）３０４により、論理通信路９７−１をリングポート５０１１〜５０６２上に構成し、リング−通信路対応設定部３０５により、論理通信路９７−１を論理リング９１に対応付けることにより、論理リング９１の状態によって各リングポートにおける論理通信路９７−１の導通もしくは停止状態を制御するよう設定することができる。
【００６２】
また、リングノード５０１〜５０６が図６に示すリングノード４０１の機能を持つ場合、論理リング設定管理部４０３によって論理リング９１をリングポート５０１１〜５０６２上に構成し、論理通信路設定管理部（リング）４０４により、論理通信路９７−１を論理リング９１上に構成することにより、論理リング９１の状態によって各リングポートにおける論理通信路９７−１の導通もしくは停止状態を制御するよう設定することができる。
【００６３】
次に、図１４のような論理リング及び論理通信路を、ネットワーク上のトラフィック増などにより図１５のような論理リング及び論理通信路に変更すること考える。
【００６４】
このとき、論理通信路９７−１の経路を９７−２に変更する方法は、リングネットワーク変更の第一の実施例と同様の方法で行うことができるため省略する。次に、図７におけるリングノード５０１〜５０４に対し、新たに論理リング９３を構成し、論理リング９３上に、論理通信路９７−２と相互に通信することが可能な論理通信路９７−３を構成することで、結果として論理通信路上を流れるトラフィックを停止する必要なく、論理リングの変更を実施する事ができる。
【００６５】
具体的には、たとえば、リングノード５０１〜５０４が、図５に示すリングノード３０１の機能を持つ場合、リングノード５０１〜５０４において、論理リング設定管理部３０３によって論理リング９３をリングポート５０１２〜５０４１上に構成し、論理通信路設定管理部（ポート）３０４により、論理通信路９７−３をリングポート５０１２〜５０４１上に構成し、リング−通信路対応設定部３０５により、論理通信路９７−３を論理リング９３に対応付けることにより、論理リング９３の状態によって各リングポートにおける論理通信路９７−３の導通もしくは停止状態を制御するよう設定する。
【００６６】
また、リングノード５０１〜５０４が図６に示すリングノード４０１の機能を持つ場合、論理リング設定管理部４０３によって論理リング９３をリングポート５０１２〜５０４１上に構成し、論理通信路設定管理部（リング）４０４により、論理通信路９７−３を論理リング９３上に構成することにより、論理リング９３の状態によって各リングポートにおける論理通信路９７−３の導通もしくは停止状態を制御するよう設定することができる。
【００６７】
これにより、通信断無く論理リングの形状を変更し、例えば論理リング９１上で多重故障が発生したような場合でも、リング内に設置された迂回経路を経由してリングを再構成し、通信を回復することが可能である。
【００６８】
（補足）
なお、上記リングネットワーク変更例（１〜４）において、変更の前後で経路が同一となるリングポート及び通信路のみで通信が行われるように、論理リングの状態を設定することで、確実に通信断を発生させないようにすることができる。
【００６９】
たとえば、リングネットワーク変更例１の場合では、論理リング上の通信が、リングノード５０１、５０４、５０５、５０６におけるリングポート５０１１、５０４２、５０５１、５０５２、５０６１、５０６２のみを通過するように、通信状態を制御する。
【００７０】
具体的には、変更前の論理リング６１において、リングポート５０１２及び５０４１に論理閉塞を設定し、リングノード５０２及び５０３へ通信が行われないようにすることで実現出来る。これは、例えば非特許文献１にあるリングプロテクション技術を用いた場合には、リングポート５０１２及び５０４１にＦｏｒｃｅｄ  Ｓｗｉｔｃｈを設定することと等価である。
【００７１】
これはリングネットワーク変更例（２〜４）においても同様である。
【００７２】
以下は、本実施形態のリングノード、リングネットワーク、及びリングネットワーク変更方法を説明したものである。
（１）
リングネットワークを構成するリングノードであって、
リングネットワークを構成するための複数のリングポートと、
前記リングポート上に複数の論理リングを構成する論理リング設定管理部と、
前記リングポート上に複数の論理通信路を構成する論理通信路設定管理部（ポート）と、
論理リングと論理通信路の対応付けを行い、論理リングの制御状態によって、リングポート上の論理通信路を経由する通信を導通及び停止させるリング−通信路対応設定部と、
論理リングと論理通信路の対応付けを変更するリング−通信路対応設定変更部
を備えることを特徴とするリングノード。
【００７３】
（２）
リングネットワークを構成するリングノードであって、
リングネットワークを構成するための複数のリングポートと、
前記リングポート上に複数の論理リングを構成する論理リング設定管理部と、
前記論理リング上に複数の論理通信路を構成する論理通信路設定管理部（リング）と、
論理リングが設定されたリングポートを他のリングポートへ変更するリングポート−論理リング対応設定変更部
を備えることを特徴とするリングノード。
【００７４】
（３）
複数のリングノードにより構成されるリングネットワークであって、
リングネットワークを構成するための複数のリングポートと、
前記リングポート上に複数の論理リングを構成する論理リング設定管理部と、
前記リングポート上に複数の論理通信路を構成する論理通信路設定管理部（ポート）と、
論理リングと論理通信路の対応付けを行い、論理リングの制御状態によって、リングポート上の論理通信路を経由する通信を導通及び停止させるリング−通信路対応設定部と、
論理リングと論理通信路の対応付けを変更するリング−通信路対応設定変更部
を備えるリングノードにより構成されることを特徴とするリングネットワーク。
【００７５】
（４）
複数のリングノードにより構成されるリングネットワークであって、
リングネットワークを構成するための複数のリングポートと、
前記リングポート上に複数の論理リングを構成する論理リング設定管理部と、
前記論理リング上に複数の論理通信路を構成する論理通信路設定管理部（リング）と、
論理リングが設定されたリングポートを他のリングポートへ変更するリングポート−論理リング対応設定変更部
を備えるリングノードにより構成されることを特徴とするリングネットワーク。
【００７６】
（５）
複数のリングノードにより構成されるリングネットワークの形状を変更するリングネットワーク変更方法であって、
リングネットワークを構成するための複数のリングポートと、
前記リングポート上に複数の論理リングを構成する論理リング設定管理部と、
前記リングポート上に複数の論理通信路を構成する論理通信路設定管理部（ポート）と、
論理リングと論理通信路の対応付けを行い、論理リングの制御状態によって、リングポート上の論理通信路を経由する通信を導通及び停止させるリング−通信路対応設定部と、
論理リングと論理通信路の対応付けを変更するリング−通信路対応設定変更部
を備えるリングノードにより構成されるリングネットワークを、
論理リング設定管理部及び論理通信路設定管理部（ポート）及びリング−通信路対応設定部の設定変更により、
その形状を変更することを特徴とするリングネットワーク変更方法。
【００７７】
（６）
複数のリングノードにより構成されるリングネットワークの形状を変更するリングネットワーク変更方法であって、
リングネットワークを構成するための複数のリングポートと、
前記リングポート上に複数の論理リングを構成する論理リング設定管理部と、
前記論理リング上に複数の論理通信路を構成する論理通信路設定管理部（リング）と、
論理リングが設定されたリングポートを他のリングポートへ変更するリングポート−論理リング対応設定変更部
を備えるリングノードにより構成されるリングネットワークを、
論理リング設定管理部及び論理通信路設定管理部（ポート）及びリング−通信路対応設定部の設定変更により、
その形状を変更することを特徴とするリングネットワーク変更方法。
【符号の説明】
【００７８】
１、２：論理リング
１１−１、１１−２：論理通信路
２１、２２、２３：通信路
１０１〜１０６：リングノード
１０１１、１０１２、１０２１、１０２２、１０３１、１０３２、１０４１、１０４２、１０５１、１０５２、１０６１、１０６２、１１１３、１１４３：リングポート
３０１：リングノード
３０２、３０２−１、３０２−２、・・・、３０２−ｎ：リングポート
３０３：論理リング設定管理部
３０４：論理通信路設定管理部（ポート）
３０５：リング−通信路対応設定部
３０６：リング−通信路対応設定変更部
４０１：リングノード
４０２、４０２−１、４０２−２、・・・、４０２−ｎ：リングポート
４０３：論理リング設定管理部
４０４：論理通信路設定管理部（リング）
４０５：リングポート−論理リング対応設定変更部
５０１〜５０６：リングノード
５０１１、５０１２、５０２１、５０２２、５０３１、５０３２、５０４１、５０４２、５０５１、５０５２、５０６１、５０６２、５１１３、５１２３、５１４３、５１５３：リングポート
６１、６２：論理リング
６７−１、６７−２：論理通信路
７１、７２、７３：論理リング
７７−１、７７−２、７８−１、７８−２：論理通信路
８１、８２、８３、８４：論理リング
８７−１、８７−２、８８−１、８８−２：論理通信路
９１、９２、９３：論理リング
９７−１、９７−２、９７−３：論理通信路
【図１】
0005771559.tif 000002
【図２】
0005771559.tif 000003
【図３】
0005771559.tif 000004
【図４】
0005771559.tif 000005
【図５】
0005771559.tif 000006
【図６】
0005771559.tif 000007
【図７】
0005771559.tif 000008
【図８】
0005771559.tif 000009
【図９】
0005771559.tif 000010
【図１０】
0005771559.tif 000011
【図１１】
0005771559.tif 000012
【図１２】
0005771559.tif 000013
【図１３】
0005771559.tif 000014
【図１４】
0005771559.tif 000015
【図１５】
0005771559.tif 000016